(57)【要約】      （修正有）【課題】簡便にスムーズな回転力を得られ、長く回転して、加えて簡便で利用者の宗教的満足感を得られる卓上マニ車の提供。【解決手段】マニ車本体１とそれを支える基台３を有する卓上マニ車において、マニ車本体１の支持方法が一か所だけの点接触による支持手段を用いた。【選択図】図１
2012011192.tif 000002
【特許請求の範囲】
【請求項１】
マニ車本体（１）とそれを支える基台（２）を有する卓上マニ車において、
マニ車本体（１）の支持方法が一か所だけの点接触による支持手段を用いたことを特徴とする卓上用マニ車
【請求項２】
マニ車本体（１）内面上部と点接触する支持部材（２）と前記支持部材が垂設される基台（３）からなることを特徴とした請求項１に記載の卓上マニ車
【請求項３】
マニ車本体上部（１−１）につまみ部（１−２）を設けたことを特徴とした請求項１，２に記載の卓上マニ車
【請求項４】
マニ車本体（１）に保持用凸部（１−３）を設け経文収納部（４）を設けたことを特徴とした請求項１，２，３に記載の卓上マニ車
【請求項５】
マニ車本体（１）と基台（３）とで、磁力の反発力を用いて、一定の間隔を保つことを特徴とした請求項１，２，３，４に記載の卓上マニ車
【請求項６】
マニ車本体の中央垂直軸線を中心に、水平方向に前記マニ車本体を回転させてなる回転力にて、前記マニ車を立直せしめて、
マニ車本体底部と基台とで、点接触にて支持する請求項１、３、４、５に記載の卓上マニ車
【請求項７】
マニ車本体を磁力の反発力を利用して浮揚力や倒れるのを防ぐ作用力を得て、基台底部と基台とで、点接触するような支持形態を特徴とした請求項１、３、４、５に記載のマニ車
【発明の詳細な説明】
【技術分野】
【０００１】
本発明卓上マニ車に関するものである。
【背景技術】
【０００２】
卓上のマニ車ではないが、御影石を横にして、回転させる形式のマニ車が提案されている。（特許文献１）また、リン台にマニ車を仕組むものも提案されている（特許文献２）  
【０００３】
理解を助けるために、通常のマニ車について、説明する。マニ車は円筒形で、側面にはマントラが刻まれており、内部にはロール状の経文が納められている。大きさはさまざで手に持てる大きさのものから、数メートルほどもあるマニ車が寺院などで使われている。昨今では経文を側面に刻んで、経文を収納しないタイプのものも使われている。
【先行技術文献】
【特許文献】
【０００４】
【特許文献１】特開２００３−１８０５０８号公報
【特許文献２】実用新案登録３９４０２５８８７号
【発明の概要】
【発明が解決しようとする課題】
【０００５】
マニ車はその宗教的な意味合いから、回転すればするほど、その経文を読んだと同じ功徳を得ると信じられている。しかし、ながら、従来の卓上マニ車は、十分な回転を得ることが出来ずにいた。加えて、経文などを入れるに際しても、複雑な構造であるために、経文を入れ替えたり、円筒形側面のマントラを違うものにするなど、簡便に出来ないでいた。  
【０００６】
簡便にスムーズな回転力を得られ、長く回転して、加えて簡便で利用者の宗教的満足感を得られる卓上マニ車が本発明の課題である。
【課題を解決するための手段】
【０００７】
マニ車本体と基台からなる卓上マニ車において、前記マニ車本体内面上部と点接触する支持部材と前記支持部材が垂設される基台からなることを特徴とした卓上マニ車とした。
【０００８】
前記、マニ車本体上部に回転用つまみ部を設けるとより回転させやすく便利である。
【０００９】
前記マニ車本体に経文収納部を設けると巻物など紙質のものが収納できて便利である。
【００１０】
マニ車本体と基台とで、磁力の反発力を用いて、一定の間隔を保つように工夫すると、回転力をスムーズ得ると同時に回転力を長く維持しやすい。
【００１１】
あるいは、別の手段として、マニ車本体を磁力の反発力を利用して浮揚力や倒れるのを防ぐ作用力を得て、基台底部と基台とで、点接触するような支持形態を用いる方法が考えられる。
もちろん、利用者の宗教観が許容するものであれば、基台底部と基台とで、コマのようにして、直立させる手段もある。
以上のように本発明は一か所の点接触によるマニ車本体と基台との支持方法を用いたことを特徴としている。点接触による支持方法において、磁石の吸引力を用いたものであってもよい。
【発明の効果】
【００１２】
一か所だけの点接触により支持されるために、やじろべぇのようにバランスよく保持され、
水平方向の回転がスムーズにおこなえ、回転力の減衰を少なくすることができる。このため、長い間回転力を保持でき、目的とする回転に関わる課題を達成することができる。
加えて、一か所のみの点接触であるために、机上の水平さが、簡便にチェックもできる。仏前やテーブルなどの水平が出ていないと、すぐに感知できるので便利である。
【００１３】
また、マニ車本体を簡便に支持部材が垂設された基台から、取り外しが簡便にできるために必要に応じた経文を入れ替えたり、あるいはマニ車本体自体を別のものに付け替えたりできるために自由度が高く便利である。これにより、目的とする自由度に関わる課題を達成することができる。
【００１４】
マニ車本体上部につまみ部を設けると指などを用いて、回転させやすいので便利ある。
【００１５】
マニ車本体に経文収納部を設けると巻物など紙質のものが収納できて便利である。
マニ車本体下部に紙類収納のための保持用凸部を設けるたけで、十分にその役割を果たすことができる。
【００１６】
もちろん、マニ車本体上部を螺状結合などで、脱着可能にして、しっかりとした収納スペースを確保してもよい。（図４）この手段によると適切な経文の保持がしっかりとできて好ましい。
【００１７】
マニ車本体内部と基台とで、磁力の反発力を用いて、一定の間隔を保つように工夫する方法は、回転力をスムーズ得ると同時に回転力を長く維持しやすい。
【００１８】
マニ車本体を磁力の反発力を利用して浮揚力を得て、マニ車本体底部と基台とで、点接触するような支持形態を用いると、経典などの収納方法の自由度が大きくなり、利用しやすい。場合によっては、通常はマニ車本体を経典収納具として安置しておき、回転させたいときだけ、基部に乗せて使用する形式をとってもよい。
【図面の簡単な説明】
【００１９】
【図１】本発明の実施形態を示す説明縦中央端面図である。
【図２】本発明の実施形態を示す説明斜視図である。
【図３】本発明の実施形態を示す説明縦中央端面図である。
【図４】本発明の実施形態を示す説明縦中央端面図である。
【図５】本発明の実施形態を示す説明縦中央端面図である。
【図６】本発明の実施形態を示す説明縦中央端面図である。
【図７】本発明の実施形態を示す説明縦中央端面図である。
【発明を実施するための形態】
【実施例１】
【００２０】
図１は説明図である。マニ車本体（１）内面上部中央部と点接触する支持部材（２）と前記支持部材（２）が垂設される基台（３）からなっている。具体的にマニ車内面上部の窪みで点接触する場所を限定しやすくし、支持する端部が窪みにはまる形の凸形状になっている。マニ車本体（１）上部に取り付けられたつまみ部（１−２）を指などで、つまんで、机上で回転させやすくするためのもので、大きさに限定はないが、水平方向の直径値が、３ｍｍ以上好ましくは５ｍｍ以上２０ｍｍ以内がつまみやすく好ましい。図２は理解を助けるためのもので斜視図である。
保持用凸部（１-3）を設けることで、図３で示されるような形態で、経文収納部（４）として、経文（５）を保持できる。
【実施例２】
【００２１】
図４のようにマニ車本体上部（１−１）が脱着可能な形態としてもよい。また、保持用凸部（１−３）を図のように断面形状をＬ字にして、確実に経文（５）を保持できる経文収納部（４）を形成するようにしてもよい。
【実施例３】
【００２２】
図５は説明縦断面図である。本発明による一か所の点接触による支持方法には、適切に回転させないと、やじろべぇのように、左右にふらつきやすいといった弊害が起きやすい。実施例３はそのためのもので、ガイドを設けることなく、無接触で基台（３）とマニ車本体（１）との距離をなるべく一定に保つようにするものである。磁力による反発力を利用したものである。リング状の磁石１と磁石２を反発するＳ極同士もしくはＮ極同士を向かい合わせにして、図のように反発する形態をとらせる。このことにより、マニ車本体（１）と基台（３）は、ぶつかることなくスムーズに回転することに大きく貢献する。
【実施例４】
【００２３】
図６は実施例１，２，３とは基本構成がことなる手段で課題を達成した具体例である。実施３と同様に磁力による反発力を用いた方法であるが、支持方法がマニ車本体（１）内面を支持するのではなく、マニ車本体（１）下部を点接触で支持する手段である。リング形状の磁石１（６−１）に反発するように磁石（６−２）、磁石（６−３）を基台（３）に取り付けて、マニ車本体（１）倒れずに、一か所の点接触による支持ができるようにしたものである。もちろん図７のように支持部が逆であってもかまわない。
【符号の説明】
【００２４】
１      マニ車本体
１−１  マニ車本体上部
１−２  つまみ部
１−３  保持用凸部
２      支持部材
３      基台
４      経文収納部
５      経文
６−１磁石
６−２磁石
６−３磁石
７  マントラや経文などの文字
【図１】
2012011192.tif 000003
【図２】
2012011192.tif 000004
【図３】
2012011192.tif 000005
【図４】
2012011192.tif 000006
【図５】
2012011192.tif 000007
【図６】
2012011192.tif 000008
【図７】
2012011192.tif 000009